(57)【特許請求の範囲】
【請求項１】
水洗トイレ用の水槽組立体であって、
水槽ハウジングと、
前記水槽ハウジング内に枢動可能に取り付けられる水槽部材と、
前記水槽部材に付随し、前記水槽部材を前記水槽ハウジング内に対し相対的に枢動させる起動装置と、
を有し、
前記水槽部材は、水を貯える室を形成する基底壁と、前記室から水を排出する通路と、を有し、
前記水槽部材は、前記水槽部材が直立な位置にあるときは、前記水槽部材の垂直軸に対し実質的に対称な、実質的に平らな又は実質的に凸の部位を有し、
前記通路は、内部入口と水槽出口とを有し、通路を通じて水をサイホン作用させるような形状を有し、
前記内部入口は、前記水槽部材が枢動位置の１つに有る時、前記水槽部材の枢動垂直軸の上またはその近傍に位置し、  
ここにおいて、前記水槽部材が枢動し、前記通路が前記室の貯水水位以下に移動された時に、水は、前記室の空気が前記通路に侵入し、前記空気が水の前記通路へのそれ以上の侵入を阻止するまで、前記通路から前記水槽出口に引き出される、
ことを特徴とする水槽組立体。
【請求項２】
水洗トイレ用の水槽組立体であって、
水槽ハウジングと、
前記水槽ハウジング内に枢動可能に取り付けられる水槽部材と、
前記水槽部材に付随し、前記水槽部材を前記水槽ハウジング内に対し相対的に枢動させる起動装置と、
を有し、
前記水槽部材は、水を貯える室を形成する基底壁と、前記室から水を排出する通路と、を有し、
前記水槽部材は、前記水槽部材の枢動点以下の前記水槽部材の容量を減少させるための少なくとも１つの凹み部を有し、
前記少なくとも１つの凹み部は、前記水槽部材が直立な位置にあるときは、前記水槽部材の垂直軸に対し実質的に対称に位置し、
前記通路は、内部入口と水槽出口とを有し、通路を通じて水をサイホン作用させるような形状を有し、  
ここにおいて、前記水槽部材が枢動し、前記通路が前記室の貯水水位以下に移動された時に、水は、前記室の空気が前記通路に侵入し、前記空気が水の前記通路へのそれ以上の侵入を阻止するまで、前記通路から前記水槽出口に引き出される、
ことを特徴とする水槽組立体。
【請求項３】
水洗トイレ用の水槽組立体であって、
水槽ハウジングと、
前記水槽ハウジング内に枢動可能に取り付けられる水槽部材と、
前記水槽部材に付随し、前記水槽部材を前記水槽ハウジング内に対し相対的に枢動させる起動装置と、
を有し、
前記水槽部材は、水を貯える室を形成する基底壁と、前記室から水を排出する通路と、を有し、
前記水槽部材は、前記水槽部材の枢動点以下の前記水槽部材の容量を減少させるための少なくとも１つの凹み部を有し、
前記少なくとも１つの凹み部は、前記水槽部材が直立な位置にあるときは、前記水槽部材の垂直軸に対し実質的に対称に位置し、
前記通路は、内部入口と水槽出口とを有し、通路を通じて水をサイホン作用させるような形状を有し、
前記内部入口は、前記水槽部材が枢動位置の１つに有る時、前記水槽部材の枢動垂直軸の上またはその近傍に位置し、  
ここにおいて、前記水槽部材が枢動し、前記通路が前記室の貯水水位以下に移動された時に、水は、前記室の空気が前記通路に侵入し、前記空気が水の前記通路へのそれ以上の侵入を阻止するまで、前記通路から前記水槽出口に引き出される、
ことを特徴とする水槽組立体。
【請求項４】
前記水槽部材は、前記水槽部材が枢動した時に、蓄えられた水の重心が枢動の垂直軸に対し枢動した側に位置するような形状を有する、ことを特徴とする請求項１または２に記載の水槽組立体。
【請求項５】
前記起動装置は磁気起動装置であり、    
前記磁気起動装置は前記水槽部材に付随し、前記水槽部材を前記水槽ハウジングに対して枢動させ、  
前記磁気起動装置は、前記水槽部材と前記水槽ハウジングに付随する複数の磁石を有し、
ここにおいて前記複数の磁石は、前記水槽部材の枢動を開始するため起動された時に、前記水槽部材上の前記複数の磁石の少なくとも１つの磁石の磁場が、前記水槽ハウジング上の前記複数の磁石の少なくとも１つの磁石の磁場と相互作用するように、相互に配置される、  
ことを特徴とする請求項１または２に記載の水槽組立体。
【請求項６】
前記起動装置は磁気起動装置であり、    
前記磁気起動装置は前記水槽部材に付随し前記水槽部材を前記水槽ハウジングに対して枢動させ、
前記磁気起動装置は、前記水槽部材と前記水槽ハウジングに付随する複数の磁石を有し、
ここにおいて前記複数の磁石は、前記水槽部材の枢動を開始するため起動された時に、前記水槽部材上の前記複数の磁石の少なくとも１つの磁石の磁場が、前記水槽ハウジング上の前記複数の磁石の少なくとも１つの磁石の磁場と相互作用するように、相互に配置される、  
ことを特徴とする請求項１または２に記載の水槽組立体。
【請求項７】
水洗トイレ用の水槽組立体であって、
水槽ハウジングと、
前記水槽ハウジング内に枢動可能に取り付けられる水槽部材と、
前記水槽部材に付随し前記水槽部材を前記水槽ハウジングに対して枢動させる磁気起動装置と、
を有し、
前記水槽部材は、水を貯える室を形成する基底壁と、前記室から水を排出する通路と、を有し、
前記通路は、内部入口と水槽出口とを有し、通路を通じて水をサイホン作用させるような形状を有し、
前記内部入口は、前記水槽部材が枢動位置にあるとき、前記水槽部材の枢動垂直軸の上または近傍に位置し、      
前記磁気起動装置は、前記水槽部材と前記水槽ハウジングに付随する複数の磁石を有し、
ここにおいて前記複数の磁石は、前記水槽部材の枢動を開始するため起動された時に、前記水槽部材上の前記複数の磁石の少なくとも１つの磁石の磁場が、前記水槽ハウジング上の前記複数の磁石の少なくとも１つの磁石の磁場と相互作用するように、相互に配置され、  
前記水槽部材が枢動し、前記通路が前記室の貯水水位以下に移動された時に、水は、前記室の空気が前記通路に侵入し、前記空気が水の前記通路へのそれ以上の侵入を阻止するまで、前記通路から前記水槽出口に引き出される、
ことを特徴とする水槽組立体。
【請求項８】
水洗トイレ用の水槽組立体であって、
水槽ハウジングと、
前記水槽ハウジング内に枢動可能に取り付けられる水槽部材と、
前記水槽部材に付随し前記水槽部材を前記水槽ハウジングに対して枢動させる磁気起動装置と、
を有し、
前記水槽部材は、水を貯える室を形成する基底壁と、前記室から水を排出する通路と、を有し、
前記水槽部材は、前記水槽部材の垂直軸に対し対称な、実質的に平らな又は実質的に凸の部位を有し、
前記通路は、内部入口と水槽出口とを有し、通路を通じて水をサイホン作用させるような形状を有し、
前記内部入口は、前記水槽部材が枢動位置の１つに有る時、前記水槽部材の枢動垂直軸の上またはその近傍に位置し、
前記磁気起動装置は、前記水槽部材と前記水槽ハウジングに付随する複数の磁石を有し、
ここにおいて前記複数の磁石は、前記水槽部材の枢動を開始するため起動された時に、前記水槽部材上の前記複数の磁石の少なくとも１つの磁石の磁場が、前記水槽ハウジング上の前記複数の磁石の少なくとも１つの磁石の磁場と相互作用するように、相互に配置され、
前記水槽部材が枢動し、前記通路が前記室の貯水水位以下に移動された時に、水は、前記室の空気が前記通路に侵入し、前記空気が水の前記通路へのそれ以上の侵入を阻止するまで、前記通路から前記水槽出口に引き出される、
ことを特徴とする水槽組立体。
【請求項９】
水洗トイレ用の水槽組立体であって、
水槽ハウジングと、
前記水槽ハウジング内に枢動可能に取り付けられる水槽部材と、
前記水槽部材に付随し前記水槽部材を前記水槽ハウジングに対して枢動させる磁気起動装置と、
を有し、
前記水槽部材は、水を貯える室を形成する基底壁と、前記室から水を排出する通路と、を有し、
前記水槽部材は、前記水槽部材の枢動点以下の前記水槽部材の容量を減少させるための少なくとも１つの凹み部を有し、
前記少なくとも１つの凹み部は、前記水槽部材が直立な位置にあるときは、前記水槽部材の垂直軸に対し実質的に対称に位置し、
前記通路は、内部入口と水槽出口とを有し、通路を通じて水をサイホン作用させるような形状を有し、
前記磁気起動装置は、前記水槽部材と前記水槽ハウジングに付随する複数の磁石を有し、
ここにおいて前記複数の磁石は、前記水槽部材の枢動を開始するため起動された時に、前記水槽部材上の前記複数の磁石の少なくとも１つの磁石の磁場が、前記水槽ハウジング上の前記複数の磁石の少なくとも１つの磁石の磁場と相互作用するように、相互に配置され、  
前記水槽部材が枢動し、前記通路が前記室の貯水水位以下に移動された時に、水は、前記室の空気が前記通路に侵入し、前記空気が水の前記通路へのそれ以上の侵入を阻止するまで、前記通路から前記水槽出口に引き出される、
ことを特徴とする水槽組立体。
【請求項１０】
水洗トイレ用の水槽組立体であって、
水槽ハウジングと、
前記水槽ハウジング内に枢動可能に取り付けられる水槽部材と、
前記水槽部材に付随し前記水槽部材を前記水槽ハウジングに対して枢動させる磁気起動装置と、
を有し、
前記水槽部材は、水を貯える室を形成する基底壁と、前記室から水を排出する通路と、を有し、
前記水槽部材は、前記水槽部材の垂直軸に対し実質的に対称な、実質的に平らな又は実質的に凸の部位を有し、
前記水槽部材は、また、前記水槽部材の枢動点以下の前記水槽部材の容量を減少させるための少なくとも１つの凹み部を有し、
前記少なくとも１つの凹み部は、前記水槽部材が直立な位置にあるときは、前記水槽部材の垂直軸に対し実質的に対称に位置し、
前記通路は、内部入口と水槽出口とを有し、通路を通じて水をサイホン作用させるような形状を有し、
前記磁気起動装置は、前記水槽部材と前記水槽ハウジングに付随する複数の磁石を有し、
ここにおいて前記複数の磁石は、前記水槽部材の枢動を開始するため起動された時に、前記水槽部材上の前記複数の磁石の少なくとも１つの磁石の磁場が、前記水槽ハウジング上の前記複数の磁石の少なくとも１つの磁石の磁場と相互作用するように、相互に配置され、  
前記水槽部材が枢動し、前記通路が前記室の貯水水位以下に移動された時に、水は、前記室の空気が前記通路に侵入し、前記空気が水の前記通路へのそれ以上の侵入を阻止するまで、前記通路から前記水槽出口に引き出される、
ことを特徴とする水槽組立体。
【発明の詳細な説明】
【技術分野】
【０００１】
本発明は、水洗トイレ及び便器システムに関し、他の用途も除外しないが、特に水洗トイレ用水槽の用途に関する。
【背景技術】
【０００２】
水洗トイレシステムは、水槽からトイレの容器への水の速い通過により作動し、水はその後地下の排水管へと流れる。水は水槽に蓄えられる。水は水槽から、水洗機構の起動により解放される。水は水槽出口を通過して容器に入る。従来のシステムでは、水が水槽から排出されると出口弁が出口を再封鎖し、主水源からの水が水槽を再充填する。
【０００３】
従来型の水槽出口弁は、摩耗や破損を受けやすく、密封効果が十分でなく、その結果下水システムへの漏水や水の損失を招いている。特許文献１は水槽ハウジングおよび内部水槽部材からなる水槽システムを開示している。水洗はサイホン機構に依存し、内部水槽部材を傾けることにより起動する。この単純な水槽は、水槽出口弁を不要とし、保守量を減少させる。
【０００４】
その簡単な水槽システムの設計は、内部水槽部材が傾いて水洗を起動する場合の水の排出遅れを補償する手助けとなる、１つの浮きラッチを必要とする。これは結果的に追加の部品を必要とし、複雑さとコストを増大させる。
【０００５】
更に、その水槽は操作ノブ又はレバーを必要とする。１つの形態では、操作ノブは水槽の前面から突出し、不便である。さらに突出する操作ノブが必要なため、その水槽は密閉したユニット内（壁内）での用途に適さない。
【０００６】
（本発明の目的）
本発明の目的は、少なくとも部分的に１つ以上の上記の欠点を克服する、水槽組立体を提供することである。  
【先行技術文献】
【特許文献】
【０００７】
【特許文献１】ＷＯ  ２００９／０３９５６１
【発明の概要】
【０００８】
本発明は広く言えば、水洗トイレ用の水槽組立体であって、
１つの水槽ハウジングと、
水槽ハウジング内に枢動可能に取り付けられ、枢動位置の間を平衡位置を経由して移動可能な１つの水槽部材と、
水槽部材は、水を貯える１つの室を形成する１つの基底壁と、室から水を排出する１つの通路と、を有し、
通路は、１つの内部入口と１つの水槽出口とを有し、通路を通じて水をサイホン作用させるような形状を有し、
内部入口は、水槽部材が枢動位置の１つに有る時、水槽部材の枢動垂直軸の上またはその近傍に位置し、
水槽部材に付随し、水槽部材を水槽ハウジング内に対し相対的に枢動させる１つの起動装置と、
を有し、
ここにおいて、水槽部材が枢動し、通路が室の貯水水位以下に移動された時に、水は、室の空気が通路に侵入し、前記空気が水の前記通路へのそれ以上の侵入を阻止するまで、前記通路から前記水槽出口に引き出される、
ことを特徴とする水槽組立体、である。
水槽ハウジングは好適には、水槽蓋と水槽基底部を有する。
【０００９】
他の側面では本発明は広く言えば、水洗トイレ用の水槽組立体であって、
１つの水槽ハウジングと、
水槽ハウジング内に枢動可能に取り付けられ、枢動位置の間を平衡位置を経由して移動可能な１つの水槽部材と、
水槽部材は、水を貯える１つの室を形成する１つの基底壁と、室から水を排出する１つの通路と、を有し、
通路は、１つの内部入口と１つの水槽出口とを有し、通路内の静水圧が室内の大気圧より低い場合、それにより通路を通じて水をサイホン作用で吸い込ませるような形状を有し、
内部入口は、水槽部材が枢動位置の１つに有る時、水槽部材の枢動垂直軸の上またはその近傍に位置し、
水槽部材に付随し、水槽部材を水槽ハウジング内に対し相対的に枢動させる１つの起動装置と、
を有し、
ここにおいて、水槽部材が枢動し、通路が室の貯水水位以下に移動された時に、水は、室の空気が通路に侵入し、前記空気が水の前記通路へのそれ以上の侵入を阻止するまで、前記通路から前記水槽出口に引き出される、
ことを特徴とする水槽組立体である。
【００１０】
水槽ハウジングは好適には水槽蓋と水槽基底部を有する。
通路は好適には実質的にＵ字形である。
通路は好適には室の内部に形成される第１の部位と、室の外部に形成される第２の部位からなる。第１の部位と第２の部位は、内部入口と水槽出口との間の連続的な液体の伝達を可能にする。
好適には第１の部位は１つの内部側壁と基底壁により形成され、第２の部位は外部側壁と基底壁より形成される。第１の部位と第２の部位が会合するところには実質的にＵ字形の部分がある。
第１の部位と実質的にＵ字形の部分と第２の部位とは、好適には１つの連続する通路を形成する。好適には、第１の部位と実質的にＵ字形の部分と第２の部位とは、実質的に同じ内部寸法を有する。
【００１１】
好適には、水槽部材が枢動の位置にある時は、水槽出口は実質的に水槽部材の枢動垂直線の上または近傍にある。
好適には、水槽部材が枢動の位置にある時は、内部入口と水槽出口は実質的に水槽部材の枢動垂直線の上または近傍にある。
好適には、水槽部材が枢動の位置にある時は、内部入口と水槽出口はそれぞれ実質的に水槽部材の最下点にあり、水槽出口は実質的に水槽ハウジングの出口に隣接している。
【００１２】
ある実施形態では、内側壁は室と通路の間に１つの孔を有し、それにより排出される水の量を制限する。他の実施形態では、内側壁は可動シールの付いた複数の孔を有する。この好適な実施形態では、画定された量の水を排出するため、選択されたシールが取り除かれ、或いは破壊される。
他の実施形態では、内側壁は複数の孔を有し、既定の量の水を画定する複数の孔は開いた状態に維持され、一方それより少ない量の水を画定する孔はシールで閉ざされる。
【００１３】
室は好適には既定の水量を蓄える。室は好適には水槽入口手段を経由して既定の水量を蓄える。
好適には、水槽部材は異なる量の貯水が室から排出されるために複数の通路を有する。さらに好適には、室から排出される貯水の２つの異なる量の選択を可能にするため、水槽部材は２つの通路を有する。
【００１４】
２つの通路がある実施形態では、第１の通路は、貯水の実質的に全ての量が室から排出されることを可能にし、第２の通路は、貯水の実質的に半分の量が室から排出されることを可能にする。この実施形態では、１つの内側壁が１つの孔を有し、それが貯水の実質的に半分だけの量が室から排出されることを可能にする。この実施形態では孔は第２の内側壁の中間に位置する。
【００１５】
好適には、第１の通路と第２の通路は水槽部材の反対側に位置する。
ある側面では水槽部材は好適には半円形の断面を有する。
水槽部材は好適には水槽ハウジングに枢動可能に取り付けられる。
水槽部材は好適には、水槽部材の中心と枢動点を結ぶ中心線である１つの垂直軸のまわりを枢動する。水槽部材は好適には水槽部材の枢動点の回りで垂直平面内を回転することが可能である。
【００１６】
水槽部材は好適には形状が実質的に半円形でその重心は枢動点より低い。水槽部材の重心が枢動点より低いある実施形態では、水槽部材は水を排出して実質的に空になると、枢動位置から真直ぐな位置に戻ることによって元に戻る。
好ましい側面では、水槽部材は、実質的に平らな部分、又は水槽部材の垂直軸に対し対称に配置される実質的に凸の部分、を有する。      
【００１７】
本発明はさらに、水洗トイレ用の水槽組立体であって、
１つの水槽ハウジングと、
水槽ハウジング内に枢動可能に取り付けられる１つの水槽部材と、
水槽部材は、水を貯える１つの室を形成する１つの基底壁と、室から水を排出する１つの通路と、を有し、
水槽部材は、水槽部材が直立な位置にあるときは、水槽部材の垂直軸に対し実質的に対称な、実質的に平らな又は実質的に凸の部位を有し、
通路は、１つの内部入口と１つの水槽出口とを有し、通路を通じて水をサイホン作用させるような形状を有し、
内部入口は、水槽部材が枢動位置の１つに有る時、水槽部材の枢動垂直軸の上またはその近傍に位置し、
水槽部材に付随し、水槽部材を水槽ハウジング内に対し相対的に枢動させる１つの起動装置と、
を有し、
ここにおいて、水槽部材が枢動し、通路が前記室の貯水水位以下に移動された時に、水は、前記室の空気が通路に侵入し、空気が水の通路へのそれ以上の侵入を阻止するまで、通路から水槽出口に引き出される、
ことを特徴とする水槽組立体、を提供する。
【００１８】
さらに好ましい側面では、水槽部材の基底壁は実質的に平らなまたは実質的に凸の部分を有する。ある側面では、水槽部材は水槽部材の垂直軸に対し実質的に対称な実質的に平らな部分を有する。他の側面では、水槽部材は水槽部材の垂直軸に対し実質的に対称な凸の部分を有する。更なる側面では、凸の部分は実質的にアーチ状である。凸の部分が実質的にアーチ状である場合、それは実質的に円形か楕円形である。更なる側面では、凸の部分はファセットされるか多面体である。  
【００１９】
他の実施形態では、水槽部材は枢動点以下の水槽部材の容積を減らすため少なくとも１つの凹み部分を有する。水槽部材が直立位置にあるとき、少なくとも１つの凹み部分は垂直軸に対し実質的に対称に位置する。好適には凹み部分は水槽部材の後方壁、前方壁またはその両方に位置する。  
【００２０】
本発明はまた、水洗トイレ用の水槽組立体であって、
１つの水槽ハウジングと、
水槽ハウジング内に枢動可能に取り付けられる１つの水槽部材と、
水槽部材は、水を貯える１つの室を形成する１つの基底壁と、室から水を排出する１つの通路と、を有し、
水槽部材は、水槽部材の枢動点以下の水槽部材の容量を減少させるための少なくとも１つの凹み部を有し、
少なくとも１つの凹み部は、水槽部材が直立な位置にあるときは、水槽部材の垂直軸に対し実質的に対称に位置し、
通路は、１つの内部入口と１つの水槽出口とを有し、通路を通じて水をサイホン作用させるような形状を有し、    
水槽部材に付随し、水槽部材を水槽ハウジング内に対し相対的に枢動させる１つの起動装置と、
を有し、
ここにおいて、水槽部材が枢動し、通路が前記室の貯水水位以下に移動された時に、水は、室の空気が通路に侵入し、空気が水の前記通路へのそれ以上の侵入を阻止するまで、通路から水槽出口に引き出される、
ことを特徴とする水槽組立体、を提供する。
【００２１】
１つの側面では、水槽ハウジングは水槽部材の後方壁に形成された１つの凹んだ部分を有する。他の側面では、水槽ハウジングは水槽部材の前方壁に形成された１つの凹んだ部分を有する。更なる側面では、水槽ハウジングは水槽部材の後方壁に形成された１つの凹んだ部分と、水槽部材の前方壁に形成された１つの凹んだ部分と、の２つの凹んだ部分を有する。
【００２２】
好適には、凹んだ部分は実質的に楔型をしており、ここにおいて楔の頂点は又水槽部材が水槽ハウジング内で定位置にある時に載るための凹んだ１つの枢動点を形成する。
好適には、凹んだ部分は２つの実質的に楔型の部分を有し、ここにおいてそれぞれの楔型の部分の頂点は又水槽部材が水槽ハウジング内で定位置にある時に載るための凹んだ１つの枢動点を形成する。
好ましい実施形態では、水槽部材が枢動の位置にある時、内部入口は水槽部材の枢動垂直軸の上又は近傍に位置する。  
【００２３】
本発明はまた、水洗トイレ用の水槽組立体であって、
１つの水槽ハウジングと、
前記水槽ハウジング内に枢動可能に取り付けられる１つの水槽部材と、
前記水槽部材は、水を貯える１つの室を形成する１つの基底壁と、前記室から水を排出する１つの通路と、を有し、
前記水槽部材は、前記水槽部材の枢動点以下の前記水槽部材の容量を減少させるための少なくとも１つの凹み部を有し、
前記少なくとも１つの凹み部は、前記水槽部材が直立な位置にあるときは、前記水槽部材の垂直軸に対し実質的に対称に位置し、
前記通路は、１つの内部入口と１つの水槽出口とを有し、通路を通じて水をサイホン作用させるような形状を有し、
前記内部入口は、前記水槽部材が枢動位置の１つに有る時、前記水槽部材の枢動垂直軸の上またはその近傍に位置し、
前記水槽部材に付随し、前記水槽部材を前記水槽ハウジング内に対し相対的に枢動させる１つの起動装置と、
を有し、
ここにおいて、前記水槽部材が枢動し、前記通路が前記室の貯水水位以下に移動された時に、水は、前記室の空気が前記通路に侵入し、前記空気が水の前記通路へのそれ以上の侵入を阻止するまで、前記通路から前記水槽出口に引き出される、
ことを特徴とする水槽組立体、を提供する。
【００２４】
更なる側面では本発明は、水洗トイレ用の水槽組立体であって、
１つの水槽ハウジングと、
前記水槽ハウジング内に枢動可能に取り付けられる１つの水槽部材と、
前記水槽部材は、水を貯える１つの室を形成する１つの基底壁と、前記室から水を排出する１つの通路と、を有し、
前記水槽部材は、前記水槽部材が枢動した時に、蓄えられた水の重心が枢動の垂直軸に対し枢動した側に位置するような形状を有し、
前記通路は、１つの内部入口と１つの水槽出口とを有し、通路を通じて水をサイホン作用させるような形状を有し、    
前記水槽部材に付随し、前記水槽部材を前記水槽ハウジング内に対し相対的に枢動させる１つの起動装置と、
を有し、
ここにおいて、前記水槽部材が枢動し、前記通路が前記室の貯水水位以下に移動された時に、水は、前記室の空気が前記通路に侵入し、前記空気が水の前記通路へのそれ以上の侵入を阻止するまで、前記通路から前記水槽出口に引き出される、
ことを特徴とする水槽組立体、を提供する。
【００２５】
好適には、水槽部材が枢動の位置にある時、内部入口は水槽部材の枢動垂直軸の上又は近傍に位置する。
好適には起動装置は、水槽部材を水槽ハウジングに対して枢動させる１つのレバーである。レバーは好適には、枢動軸のどちら側にも約２０度移動可能である。他の実施形態では、トイレ又は便器に水を流すため、時間又は運動センサにより起動される装置である。
起動装置は、好適には水槽部材を傾け、傾いた位置に維持するために配置されうる。
【００２６】
１つの好ましい形態では、起動手段は水槽ハウジングに枢動可能に取り付けられ、水槽部材と共に枢動する１つのレバーを含む。
好ましい実施形態では、レバー部分はラッチガイドの表面に当接する、ラッチとして使用される１つの横断ピンを有する。ラッチガイドは好適には水槽蓋の下方側面に渡って直線的フランジとして伸長する。好適にはラッチガイドは、細長の蓋孔の両側において長手方向に伸長する２つのフランジを有する。レバー部分は細長の蓋孔を通過して伸長し、水槽部材を傾けるためのハンドルとして機能する。レバー部分は好適には、水槽部材の側壁に固定される１つ以上の部材ガイドに確保される。
【００２７】
他の好ましい実施形態では、起動手段は水槽部材を水槽ハウジングに対して移動させるハンドル手段を有する。
ハンドル手段は好適には、水槽部材の側壁に渡って伸びる１つのボタンを有する。ボタンは好適には、水槽部材に取り付けられ又は一体化している。
他の１つの実施形態では、起動手段は水槽部材に枢動可能に取り付けられ、水槽部材と共に枢動する１つのレバーを有する。
水槽部材と他の部材は本発明の観点から上記で記述されたものと類似である。
水槽蓋は好適には蓋の下方側面に位置する１つ以上のガイドフランジを有する。
【００２８】
１つ以上のガイドフランジは、好適には、実質的にアーチ形状である。より詳しくは、１つ以上のガイドフランジは、凹形状である。  
１つ以上のガイドフランジのそれぞれは、ラッチ又はラッチ部分を保持するための少なくとも１つの当接側面を有する。
ある実施形態では、蓋はハンドル部材が通って伸長する１つの開口部を有する。
他の実施形態では、水槽基底部はボタンが伸長する１つの開口部を有する。これらの各開口部は、好適には、アーチ状の溝である。
蓋がハンドル部材用の開口部を有する実施形態では、１つ以上のガイドフランジが開口部の縁に沿って又は縁の近くに配置される。
好適には、２つのガイドフランジを有し、それぞれのフランジは、アーチ状の溝の長手方向側面に配置される。
起動手段は好適には、磁気起動手段である。  
【００２９】
他の側面では、本発明は広く、水洗トイレ用の水槽組立体であって、
１つの水槽ハウジングと、
前記水槽ハウジング内に枢動可能に取り付けられる１つの水槽部材と、
前記水槽部材は、水を貯える１つの室を形成する１つの基底壁と、前記室から水を排出する１つの通路と、を有し、
前記通路は、１つの内部入口と１つの水槽出口とを有し、通路を通じて水をサイホン作用させるような形状を有し、    
前記水槽部材に付随し前記水槽部材を前記水槽ハウジングに対して枢動させる磁気起動装置と、
前記磁気起動装置は、前記水槽部材と前記水槽ハウジングに付随する複数の磁石を有し、
ここにおいて前記複数の磁石は、前記水槽部材の枢動を開始するため起動された時に、前記水槽部材上の前記複数の磁石の少なくとも１つの磁石の磁場が、前記水槽ハウジング上の前記複数の磁石の少なくとも１つの磁石の磁場と相互作用するように、相互に配置され、
を有し、
ここにおいて、前記水槽部材が枢動し、前記通路が前記室の貯水水位以下に移動された時に、水は、前記室の空気が前記通路に侵入し、前記空気が水の前記通路へのそれ以上の侵入を阻止するまで、前記通路から前記水槽出口に引き出される、
ことを特徴とする水槽組立体、に存する。
【００３０】
さらに１つの側面では、本発明は広く、水洗トイレ用の水槽組立体であって、
１つの水槽ハウジングと、
前記水槽ハウジング内に枢動可能に取り付けられる１つの水槽部材と、
前記水槽部材は、水を貯える１つの室を形成する１つの基底壁と、前記室から水を排出する１つの通路と、を有し、
前記通路は、１つの内部入口と１つの水槽出口とを有し、前記通路内の静水圧が前記室内の大気圧より低い場合、水をサイホン作用させ、前記サイホン作用により通路を通じて水を吸い出す形状を有し、    
前記水槽部材に付随し前記水槽部材を前記水槽ハウジングに対して枢動させる磁気起動装置と、
前記磁気起動装置は、前記水槽部材と前記水槽ハウジングに付随する複数の磁石を有し、
ここにおいて前記複数の磁石は、前記水槽部材の枢動を開始するため起動された時に、前記水槽部材上の前記複数の磁石の少なくとも１つの磁石の磁場が、前記水槽ハウジング上の前記複数の磁石の少なくとも１つの磁石の磁場と相互作用するように、相互に配置され、
を有し、
ここにおいて、前記水槽部材が枢動し、前記通路が前記室の貯水水位以下に移動された時に、水は、前記室の空気が前記通路に侵入し、前記空気が水の前記通路へのそれ以上の侵入を阻止するまで、前記通路から前記水槽出口に引き出される、
ことを特徴とする水槽組立体、に存する。
【００３１】
好適には、磁気起動手段は水槽部材を枢動軸に対して約２０度だけ横断方向に移動させる。
好適には、水槽部材の枢動を開始するため起動される時に、水槽部材と水槽ハウジングに付随する複数の磁石は、水槽部材上の複数の磁石の少なくとも１つの磁石の磁場が、水槽ハウジングに付随する複数の磁石の少なくとも１つの極性の同じ磁石の磁場と磁気反発の相互作用をするように、互いに配置される。
【００３２】
更に好適には、水槽部材と水槽ハウジングに付随する複数の磁石は、起動された時に、水槽部材上の複数の磁石の少なくとも１つの磁石の磁場が、水槽ハウジングに付随する複数の磁石の少なくとも１つの極性の同じ磁石の磁場と磁気斥力の相互作用をするように、互いに配置され、その後又は同時に、水槽ハウジングに付随する複数の磁石の少なくとも１つの磁石の磁場と、水槽部材上の複数の磁石の少なくとも１つの磁石の反対極性の磁場が磁気引力を及ぼし、水槽部材の枢動を開始する。
【００３３】
１つの好ましい側面では、複数の磁石は、水槽部材の枢動が、水槽ハウジング上の第１の磁石の磁場と水槽部材上の第２の磁石の同じ極性の磁場の間の磁気斥力により開始され、その後又は同時に、第１の磁石の磁場と、水槽部材上の第３の磁石の反対極性の磁場が磁気引力を及ぼす。
【００３４】
好適には、水槽部材と水槽ハウジングに付随する複数の磁石は、互いに相対的に配置され、起動時に、水槽ハウジング上の第１の磁石の磁場と水槽部材上の第２の磁石の同じ極性の磁場の間の磁気斥力により水槽ハウジングの枢動が開始され、その結果の枢動は、第３の磁石の反対極性の磁場が第１の磁石の磁場と磁気引力を及ぼすようにさせ、その結果水槽部材の枢動の角度を増大させる。
【００３５】
水槽部材又は水槽ハウジングに付随する１つの磁石は、水槽部材又は水槽ハウジングの壁に取り付けられ、又は壁と一体化されてもよい。磁石は壁の内側または外側に付随してもよい。
適切な磁石は永久磁石又は電磁石である。
永久磁石は磁場により磁化されうる強磁性の金属帯により代替されてもよい。
電磁石は電流により起動され、電気回路に接続されたソレノイド又はソレノイドコイルを含む。適切には電気回路は低電圧直流電源を有する。適切には、電磁石と電気回路は、電磁石が、制御手段、例えば電気ロッカースイッチ又はタッチパッド、の起動によりエネルギーを与えられることができるように構成される。
永久磁石と電磁石の組合せも可能である。  
【００３６】
１つの磁石が水槽部材に付随する場合、好適には永久磁石である。あるいは水槽部材には少なくとも１つの強磁性の金属帯が取り付けられてもよい。ある１つの側面では、水槽部材に付随する磁石は水槽部材の上部壁に付随する。他の側面では、磁石は水槽部材の側面壁に付随する。
好適には、水槽部材の枢動は水槽部材に付随する１つの起動磁石の作動により開始される。  
【００３７】
ある側面では、起動磁石は水槽ハウジングに付随する１つの永久磁石であり、
それは、水槽ハウジングが水槽部材に付随する少なくとも１つの磁石の方向に移動し、磁場が相互作用して水槽部材が水槽ハウジング内で枢動を開始することを可能にする。適切には、起動磁石は滑動又は押し動きにより移動される。ある側面では、起動磁石は、水槽ハウジングに付随する押しボタンに一体化され又は取り付けられる。或いは起動磁石は、水槽ハウジングに付随する滑動機構に一体化され又は取り付けられる。
【００３８】
好ましい実施形態では、起動磁石は水槽ハウジングに付随する１つの電磁石であり、電気回路に接続されてエネルギーを与えられ、水槽ハウジングに付随する少なくとも１つの磁石の磁場と相互作用し、水槽部材の枢動を開始することが可能となる。電磁石は電気システム内の１つの電気ロッカースイッチ又はタッチパッドにより起動されてもよい。好適には起動手段は遠隔起動が可能なように構成される。
【００３９】
ある側面では、起動磁石は、起動時は起動磁石の磁場が水槽部材に付随する１つの同じ極性の磁石の磁場と相互作用し、磁気斥力により水槽ハウジングの枢動を開始するように配置される。好適な側面では、起動磁石は、起動磁石の磁場が水槽部材に付随する複数の磁石の磁場と相互作用するように設定される。好適には、起動磁石は、起動時に、起動磁石が水槽ハウジングに付随する同じ極性の第１の磁石の方向に移動し、起動磁石と第１の磁石の磁場との間の斥力により水槽ハウジングの枢動を開始し、その枢動はその後、起動磁石の磁場が水槽部材に付随する反対の極性の磁場を有する第２の磁石と相互作用することを可能にし、起動磁石と第２の磁石の磁場との間の引力により枢動が継続することを可能にする。
【００４０】
他の側面では、本発明は広く、水洗トイレ用の水槽組立体であって、
１つの水槽ハウジングと、
前記水槽ハウジング内に枢動可能に取り付けられる１つの水槽部材と、
前記水槽部材は、水を貯える１つの室を形成する１つの基底壁と、前記室から水を排出する１つの通路と、を有し、
前記通路は、１つの内部入口と１つの水槽出口とを有し、通路を通じて水をサイホン作用させるような形状を有し、
前記内部入口は、前記水槽部材が枢動位置にあるとき、前記水槽部材の枢動垂直軸の上または近傍に位置し、    
前記水槽部材に付随し前記水槽部材を前記水槽ハウジングに対して枢動させる磁気起動装置と、
前記磁気起動装置は、前記水槽部材と前記水槽ハウジングに付随する複数の磁石を有し、
ここにおいて前記複数の磁石は、前記水槽部材の枢動を開始するため起動された時に、前記水槽部材上の前記複数の磁石の少なくとも１つの磁石の磁場が、前記水槽ハウジング上の前記複数の磁石の少なくとも１つの磁石の磁場と相互作用するように、相互に配置され、
を有し、
ここにおいて、前記水槽部材が枢動し、前記通路が前記室の貯水水位以下に移動された時に、水は、前記室の空気が前記通路に侵入し、前記空気が水の前記通路へのそれ以上の侵入を阻止するまで、前記通路から前記水槽出口に引き出される、
ことを特徴とする水槽組立体、に存する。
【００４１】
本発明は更に、水洗トイレ用の水槽組立体であって、
１つの水槽ハウジングと、
前記水槽ハウジング内に枢動可能に取り付けられる１つの水槽部材と、
前記水槽部材は、水を貯える１つの室を形成する１つの基底壁と、前記室から水を排出する１つの通路と、を有し、
前記水槽部材は、前記水槽部材の垂直軸に対し対称な、実質的に平らな又は実質的に凸の部位を有し、
前記通路は、１つの内部入口と１つの水槽出口とを有し、通路を通じて水をサイホン作用させるような形状を有し、
前記内部入口は、前記水槽部材が枢動位置の１つに有る時、前記水槽部材の枢動垂直軸の上またはその近傍に位置し、
前記水槽部材に付随し前記水槽部材を前記水槽ハウジングに対して枢動させる磁気起動装置と、
前記磁気起動装置は、前記水槽部材と前記水槽ハウジングに付随する複数の磁石を有し、
ここにおいて前記複数の磁石は、前記水槽部材の枢動を開始するため起動された時に、前記水槽部材上の前記複数の磁石の少なくとも１つの磁石の磁場が、前記水槽ハウジング上の前記複数の磁石の少なくとも１つの磁石の磁場と相互作用するように、相互に配置され、
を有し、
ここにおいて、前記水槽部材が枢動し、前記通路が前記室の貯水水位以下に移動された時に、水は、前記室の空気が前記通路に侵入し、前記空気が水の前記通路へのそれ以上の侵入を阻止するまで、前記通路から前記水槽出口に引き出される、
ことを特徴とする水槽組立体、を提供する。  
【００４２】
他の側面では、本発明は広く、水洗トイレ用の水槽組立体であって、
１つの水槽ハウジングと、
前記水槽ハウジング内に枢動可能に取り付けられる１つの水槽部材と、
前記水槽部材は、水を貯える１つの室を形成する１つの基底壁と、前記室から水を排出する１つの通路と、を有し、
前記水槽部材は、前記水槽部材の枢動点以下の前記水槽部材の容量を減少させるための少なくとも１つの凹み部を有し、
前記少なくとも１つの凹み部は、前記水槽部材が直立な位置にあるときは、前記水槽部材の垂直軸に対し実質的に対称に位置し、
前記通路は、１つの内部入口と１つの水槽出口とを有し、通路を通じて水をサイホン作用させるような形状を有し、
前記水槽部材に付随し前記水槽部材を前記水槽ハウジングに対して枢動させる磁気起動装置と、
前記磁気起動装置は、前記水槽部材と前記水槽ハウジングに付随する複数の磁石を有し、
ここにおいて前記複数の磁石は、前記水槽部材の枢動を開始するため起動された時に、前記水槽部材上の前記複数の磁石の少なくとも１つの磁石の磁場が、前記水槽ハウジング上の前記複数の磁石の少なくとも１つの磁石の磁場と相互作用するように、相互に配置され、
を有し、
ここにおいて、前記水槽部材が枢動し、前記通路が前記室の貯水水位以下に移動された時に、水は、前記室の空気が前記通路に侵入し、前記空気が水の前記通路へのそれ以上の侵入を阻止するまで、前記通路から前記水槽出口に引き出される、
ことを特徴とする水槽組立体、に存する。
【００４３】
さらに他の側面では、本発明は広く、水洗トイレ用の水槽組立体であって、
１つの水槽ハウジングと、
前記水槽ハウジング内に枢動可能に取り付けられる１つの水槽部材と、
前記水槽部材は、水を貯える１つの室を形成する１つの基底壁と、前記室から水を排出する１つの通路と、を有し、
前記水槽部材は、前記水槽部材の垂直軸に対し実質的に対称な、実質的に平らな又は実質的に凸の部位を有し、
前記水槽部材は、また、前記水槽部材の枢動点以下の前記水槽部材の容量を減少させるための少なくとも１つの凹み部を有し、
前記少なくとも１つの凹み部は、前記水槽部材が直立な位置にあるときは、前記水槽部材の垂直軸に対し実質的に対称に位置し、
前記通路は、１つの内部入口と１つの水槽出口とを有し、通路を通じて水をサイホン作用させるような形状を有し、
前記水槽部材に付随し前記水槽部材を前記水槽ハウジングに対して枢動させる磁気起動装置と、
前記磁気起動装置は、前記水槽部材と前記水槽ハウジングに付随する複数の磁石を有し、
ここにおいて前記複数の磁石は、前記水槽部材の枢動を開始するため起動された時に、前記水槽部材上の前記複数の磁石の少なくとも１つの磁石の磁場が、前記水槽ハウジング上の前記複数の磁石の少なくとも１つの磁石の磁場と相互作用するように、相互に配置され、
を有し、
ここにおいて、前記水槽部材が枢動し、前記通路が前記室の貯水水位以下に移動された時に、水は、前記室の空気が前記通路に侵入し、前記空気が水の前記通路へのそれ以上の侵入を阻止するまで、前記通路から前記水槽出口に引き出される、
ことを特徴とする水槽組立体、に存する。
【００４４】
好適には、水槽部材が枢動の位置にある時、内部入口は水槽部材の枢動垂直軸の上又は近傍に位置する。
他の側面では、本発明は広く、水洗トイレであって、
上記のような１つの水槽組立体と、トイレ容器からなり、水槽組立体は水をトイレ容器に排出する、ことを特徴とする水洗トイレ、に存する。
さらに他の側面では、本発明は広く、上記に記載の水槽部材に存する。
本発明の他の側面に関する上記の特徴及び実施形態は、種々の形、組合せ及び置き換えでの本発明に関して特許請求の範囲とされる。
【図面の簡単な説明】
【００４５】
本発明の十分な理解のため本発明の好ましい実施形態を、図を参照して説明する。
【図１】本発明の第１の実施形態の水槽組立体内の水槽ハウジングと水槽部材の概略断面図である。
【図２】本発明の第１の実施形態の水槽ハウジングのそれぞれ枢動前の平衡点（２Ａ）及び枢動中（２Ｂ）における概略断面図である。
【図３】本発明の第２の実施形態の水槽組立体内の水槽ハウジングと水槽部材の概略断面図である。
【図４】本発明の第２の実施形態の水槽ハウジングのそれぞれ枢動前の平衡点（４Ａ）及び枢動中（４Ｂ）における概略断面図である。
【図５】本発明の第３の実施形態の水槽部材の概略図である。
【図６】本発明の第３の実施形態の水槽部材の枢動前（６Ａ）及び枢動中（６Ｂ）の水の重心と水槽部材の枢動中心を示す概略断面図である。
【図７】本発明のさらに１つの実施形態の水槽組立体の水槽ハウジングと水槽部材の概略断面図であり、永久磁石の駆動手段を介した磁気起動による水槽部材の起動手段を示す図である。
【図８】水槽組立体の上半分の概略連続部分断面図であり、永久磁石の配置と相対的極性、及び起動と水洗における連続するステップを示す図である。
【図９】本発明の他の１つの実施形態の水槽組立体の水槽ハウジングと水槽部材の概略断面図であり、水槽ハウジングの電磁気起動を介した磁気起動による枢動手段を示す図である。
【図１０】更なる実施形態の水槽組立体の上半分の概略連続部分断面図であり、複数の電磁石及び永久磁石の配置及び起動と水洗における連続するステップを示す図である。
【発明を実施するための形態】
【００４６】
図１は、水槽ハウジング１２内に水槽部材を形成する、実質的に半円の鉢１１と起動手段（不図示）を有する、水槽組立体１０を示す。鉢１１は水槽ハウジング１２に枢動可能に取り付けられ、起動手段は鉢１１を水槽ハウジング１２に対し相対的に傾くことを可能にする。鉢１１は水槽ハウジング１２に対しどちらの方向にも約２０度枢動することができる。
【００４７】
鉢１１は  鉢の基底壁１４で画定される１つの室１３を形成する。主水源のような水源からの水は室１３を既定の容量まで満たす。水量は水入り口（不図示）に近く位置する１つのフロート弁により制御される。既定の水量に達すると、フロート弁は水の流入を止める。鉢１１は、それぞれ鉢の反対側に位置する２つの通路１５、１６を有する。水は室１３に蓄えられ、２つの通路１５、１６のいずれか１つより排出されうる。
通路１５，１６は共に外側部位１８に連接する内側部位１７を有する。
【００４８】
それぞれの内側部位１７は１つの内側側面１９，２０と基底壁１４により形成され、一方それぞれの外側部位１８は外部側面２１，２２と基底壁１４により形成される。内側部位１７と外側部位１８はＵ字曲がり２３で接続し連続する通路を形成する。内側部位１７、外側部位１８及びＵ字曲がり２３の内寸は、それぞれの通路１５，１６を介するサイホン動作を最適化するため実質的に同じである。水はそれぞれ内部入口２４、２５を経由して通路１５、１６に流入し、水槽出口２６、２７を経由して流出する。枢動位置においては、内部入口２４（反時計回りの場合）又は２５（時計回りの場合）は実質的に水槽部材の垂直軸の上、又はそれに隣接して位置し、また水槽部材１１の最下点またはそれに隣接して位置する。
水槽出口２６（反時計回りの場合）又は２７（時計回りの場合）は実質的に水槽ハウジング１２の下方に位置する出口２８に隣接している。
【００４９】
鉢１１は水槽ハウジング１２の中で起動手段（不図示）を使用して傾斜される。鉢１１は、鉢１１の中心と枢動点を結ぶ中央軸線である垂直軸２９の周り  を枢動する。鉢１１は、垂直面内において鉢１１の枢動点の回りを回転可能である。起動手段（不図示）は鉢１１を約２０度だけ垂直枢動軸２９の右又は左に枢動可能である。
【００５０】
鉢１１は、実質的に半円形であり、重心１００はその枢動点より低い（図２Ｂ参照）。鉢１１は、実質的に水を排出して空になると、枢動位置から真直ぐな位置に戻ることができる。
使用においては、鉢１１が水槽ハウジング１２内で時計方向に傾斜した場合（図２Ｂと同様）通路１６は鉢１１の内部に蓄えられた水の水位より下に下げられ、サイホン動作が確立する。サイホン動作は水を室１３より通路１６の内部入口２５に吸引し、水槽出口２７より排出する。水槽出口２７より排出された水は水槽ハウジング１２の出口２８を経由してトイレの容器（不図示）に流入する。
【００５１】
Ｕ字形曲がり２３と、Ｕ字形曲がりにおいて球状構造が無いことの組合せは、内部入り口２４，２５が枢動位置において水槽部材１１の最下点又はその近くに位置していることと共に、水の重心１００が傾き方向と反対方向へ移動することを防止し、それによりサイホン動作開始の遅延を防止する。この構成は浮きラッチの必要性を無くする。
水は、空気が内部入口２５を経由して通路１６に入りサイホン動作を消滅するまで、通路１６を通って排出される。内部入口２５は室１３の底近くに位置し、空気は、蓄えられた水が室１３から実質的に全て排出された時に、通路１６に流入する。
鉢１１の水の水位が既定点に達すると、浮き弁（不図示）が開き、水が水入口（不図示）から鉢１１に流入し、鉢１１を既定の容量まで再充填する。
【００５２】
図３Ａ−３Ｄは水槽組立体３０の第２の実施例を示し、それは水槽ハウジング１２内に水槽部材３１を形成する１つの鉢と、起動手段（不図示）を有する。水槽組立体３０は前述の水槽組立体１０と類似であるが、水槽部材３１を形成する鉢が、水槽部材の垂直軸に対し対称に配置される実質的に平らな部分、又は実質的に凸の部分、を有する点で異なる。
図３Ａは水槽部材３１を形成する鉢の基底壁が平らにされ、また水槽部材の垂直軸に対し対称に配置される図を示す。
図３Ｂは水槽部材３１を形成する鉢の基底壁が、内側に突出する、水槽部材の垂直軸に対し対称に配置される、Ｖ字を形成する図を示す。
図３Ｃは水槽部材３１を形成する鉢の基底壁が、内側に突出する、水槽部材の垂直軸に対し対称に配置される、スピード防止帯形状を形成する図を示す。
図３Ｄは水槽部材３１を形成する鉢の基底壁が、内側に突出する、水槽部材の垂直軸に対し対称に配置される、円孤又は楕円孤形状を形成する図を示す。
【００５３】
水槽部材の基底壁の実質的に平らな又は凸（内側に突出）の領域の効果は、水槽部材の底の領域に存する水の重量を減少させることである。これは枢動中の水槽部材に含まれる水の重量分布に影響を与え、図４Ａ，４Ｂに示される。水槽部材が水槽ハウジング１２内を時計回りに枢動するとき、実質的に凸の領域３５は垂直軸２９の左側に回転され、内部入口２５と通路１６は垂直軸２９の右側に残る。実質的に凸の領域３５は、その領域が凹であった場合に比較して相対的に少ない水を保持する。時計回りの枢動により、水の重心１００は低い位置となった通路１６及び内部入口２５の方向に移動する。水槽基底壁の実質的に平らな又は凸の基底壁への変更は、水槽部材１１の枢動の開始時において、水槽ハウジング１２内での水槽部材１１の振動の発生を除去又は減少させる。
【００５４】
水槽基底壁が実質的に凹である場合、枢動の開始時に、水槽部材内の水が分布を変える結果、水槽部材の重心１００の移動により水槽部材１１が一時的に振動することがある。これは枢動時に通路１６の外側部位１８に十分な水重量が無いことに起因し、最初は重心１００を枢動の向き及び位置の低下した入口用の通路とは反対方向に移動させる。水槽部材の基底壁の形状変更は、重心１００を枢動の向きと同じ方向に移動させ、その結果、水が内部入口２５を通過して通路１６の内側部位に流入し、そして通路１６の外側部位に流入するまで、水槽部材は傾いた位置を維持する。通路１６の外側部位の水の重量は、水が水槽出口２７より排出され、そして水槽ハウジング出口２８より排出されるまで、水槽部材を傾いた位置に維持し、その後水槽部材３１は元の直立位置へ回転して戻る。
さらに水槽部材３１の基底壁の平らな又は内部に突出した領域は、内部入口２４，２５のすぐ隣の体積を減少させ、これにより、鉢１１から排出される水体積の最大化をもたらす。
【００５５】
図５Ａ，５Ｂ，６Ａ，６Ｂは水槽部材４１を形成する鉢を示す。
図５Ａ，５Ｂは水槽部材４１を形成する鉢を示す。水槽部材４１は１つの水槽ハウジングと起動手段（不図示）と共に使用され、本発明の第３の実施形態の水槽組立体を形成するように意図されている。水槽部材４１は水槽部材１１と類似しているが、水槽部材４１を形成する鉢が実質的にウェッジ型の凹部４２を、水槽部材４１の鉢の後方壁、または正面壁またはその両方に有する点で異なっている。各ウェッジ型の凹部４２は、水槽部材が平衡状態にあるときは、水槽部材４１の垂直軸２９に対して実質的に対称である。各ウェッジ型のへこみ４２は、水槽部材４１が水槽ハウジング内に収容されるためのへこんだ枢動点を提供するための、１つの頂点４３を有する。
【００５６】
水槽部材４１の前面から後面への寸法がへこみ部又は部位４２の後ろで小さいため、凹んだ部分又は部位４２の後ろの水の容積は水槽部材４１の全深さの領域に比べて小さい。水槽ハウジングが平衡（直立）位置にあるとき、水容積の小さい領域は垂直軸に対して対称であり、水槽ハウジングは直立で維持され安定している。水槽部材４１が水槽ハウジングに対して傾くと、容積の少ない領域は傾きと反対方向に移動し、その結果水槽ハウジングの鉢に含まれる水の重心１００は傾きの方向に移動し、それにより傾斜にたいする抵抗を減少させる。この様子を図６Ａ，６Ｂに示す。
【００５７】
図７は本発明の第４の実施形態を示す。水槽組立体５０は水槽ハウジング１２の中に水槽部材１１を形成する１つの鉢と、磁気起動手段５２−５６を有する。水槽組立体５０は水槽組立体１０に類似するが、枢動が水槽ハウジング１２と水槽部材１１に付随する永久磁石５２−５６の配列により提供される磁気起動手段により開始される。
【００５８】
部分断面図８Ａ−８Ｅは、本発明のさらなる実施形態の水槽組立体６０の上部を示す。水槽組立体６０は、水槽ハウジング１２、磁気起動手段および水槽部材６１を形成する１つの鉢からなる。水槽部材６１を形成する１つの鉢は上記の図でしめされたもののいずれかと類似である。ある実施形態では水槽部材６１は図１の水槽部材１１に類似している。他の実施形態では水槽部材６１は図３−６の水槽部材３１又は４１に類似している。
【００５９】
図８Ａ−８Ｅは、水槽ハウジング１２の上部及び水槽部材６１の上部の永久磁石の配列と極性及び水洗時のステップの順番を示す。
図８Ａは、水槽部材６１が水槽ハウジング１２の中で平衡状態にあることを示す。水槽ハウジング１２の上部には２つの実質的に垂直に取り付けられた永久磁石６２，６３を備え、それらは、起動磁石として働く。水槽部材６１の上部には、２つの永久磁石６５，６６と、水槽部材６１の上部表面の中心に位置する第３の永久磁石６４を備える。永久磁石６４は、永久磁石６５，６６の間に位置し、それらと反対の極性を有する。水槽ハウジング１２上の起動磁石６２，６３はそれらの磁場が水槽部材６１上の永久磁石６５，６６の極性と同じで磁石６４と逆の極性になるように配置される。
【００６０】
図８Ｂは水槽部材６１の起動とその結果の枢動を示す。水槽部材６１の水槽ハウジング１２の中での枢動は、起動磁石６２を押し込むことにより開始される。起動磁石６２を同じ極性の磁石６５方向に移動させ、２つの同じ極性の磁石の反発により枢動を開始させる。図８Ｃは枢動のその後の段階を示し、枢動がさらに進んだ状態を示す。起動磁石６２の磁場の同じ極性の磁石６５に対する反発力は２つの磁石を遠ざけて、反発力は減衰する。水槽部材６１の回転は、起動磁石６２の磁場に水槽部材上の極性の異なる磁石６４との引力をもたらし、それがさらに枢動の角度を大きくする。枢動運動は、上述のように水槽部材６１の鉢内に蓄えられた水の排出するためのサイホン動作を確立する。図８Ｄは、水がサイホンで排出された後、水槽部材６１が水槽ハウジング内で平衡位置に戻ってゆく状態を示す。図８Ｅは水槽部材６１が水槽ハウジング内で平衡位置に戻った状態を示す。
【００６１】
図９は本発明の第４の実施形態を示す。水槽組立体７０は、水槽ハウジング１２の中で水槽部材７１を形成する１つの鉢と、電磁起動の形状の磁気起動手段７２−７６、７８，７９からなる。水槽組立体７０は、水槽組立体１０で記載されたものと類似であるが、枢動は、水槽ハウジング１２と水槽部材７１に付随する電磁石７２，７３と永久磁石７４，７５，７６の複数の磁石の配列により形成される電磁起動手段により開始される。
【００６２】
図１０Ａ−１０Ｅの部分断面図は、本発明のさらなる実施形態の水槽組立体８０の上部を示す。水槽組立体８０は、水槽ハウジング１２、磁気起動手段および水槽部材８１を形成する１つの鉢からなる。水槽部材８１を形成する１つの鉢は上記の図で示されたものに類似している。ある実施形態では水槽部材８１は図１の水槽部材１１に類似している。他の実施形態では水槽部材８１は図３−５の水槽部材３１又は４１に類似している。
【００６３】
図１０Ａ−１０Ｅは水槽ハウジング１２の上部と水槽部材８１の上部の磁石の配列および水洗中のステップの順番を示す。図１０Ａは、水槽部材８１が水槽ハウジング１２の中で平衡状態にある。水槽ハウジング１２の上部には２つの電磁石８２，８３を備え、それらは、電磁石８２，８３の起動を可能にする電気回路および始動手段８８，８９に接続され、それにより電磁石８２，８３は起動磁石として働く。水槽部材８１の上部には、同じ極性の２つの永久磁石８５，８６を備える。第３の永久磁石８４は、水槽部材８１の上部表面の中央部分に配置される。永久磁石８４は、水槽部材８１上の永久磁石６５，６６の間に位置し、それらと反対の極性を有する。
【００６４】
図１０Ｂは、水槽ハウジング１２上の電磁石８２を稼働させ、隣接する水槽部材８１上の永久磁石８５と同じ極性の磁場を形成するための始動手段８８の起動による、枢動の開始を示す。電磁石８２の磁場の同じ極性の磁石８５に対する反発力は、水槽ハウジング１２の中での水槽部材８１の枢動を生じる。
【００６５】
図１０Ｃは水槽ハウジング１２の中での水槽部材８１の枢動のその後の段階を示す。枢動は起動電磁石８２と磁石８５を遠ざけて、２つの磁石の磁場の間の反発力は減衰する。水槽部材８１の回転は、電磁石６２の磁場に水槽部材８１上の極性の異なる永久磁石８４との引力をもたらし、それがさらに枢動の角度を大きくする。枢動は、水槽部材８１の鉢に蓄えられた水を排水するための前述のサイホン動作を確立する。
【００６６】
図１０Ｄは、蓄えられた水が水槽部材８１から排水された後、水槽部材が水槽ハウジング内の平衡位置に戻る状態を示す。図１０Ｅは、水槽部材が水槽ハウジング内の平衡位置に戻った状態を示す。
【００６７】
（利点）
好ましい実施形態の水槽組立体の利点は、導入が単純で、接触で摩耗する可動部品が無いシステムの提供にある。改善された水槽組立体の設計は、運動と水槽部材を形成する鉢に蓄えられた水の重心の位置の制御によって、水槽部材の枢動が起動した後にサイホン動作の開始が遅れることがない。
改善された運動と蓄えられた水の重心の位置の制御により、起動後の水槽部材の振動（ぐらつき）が減少する。
好ましい実施形態の水槽組立体の利点は、磁気相互作用で開始される単純な水洗システムの提供である。磁気起動の更なる利点は、被覆（壁の中）システムへの使用を可能にする遠隔起動の提供である。
【００６８】
（変化形）
上記は本発明の説明的事例であり、当業者にとって明白なこれらの変更、変化形は本発明の範囲に含まれる。本明細書において使用される「を有する」、「からなる」「を含む」という表現は、他の追加、要素、ステップを排除するものではない。  
【符号の説明】
【００６９】
１０，３０，５０，６０，７０，８０  ：水槽組立体
１１，３１，４１，６１，７１，８１  ：水槽部材    
１２：水槽ハウジング            １３：室
１４：基底壁              １５，１６：通路
１７：内側部位                    １８：外側部位 
１９，２０：内側側面      ２１，２２：外部側面
２３：Ｕ字曲がり          ２４，２５：内部入口
２６，２７：水槽出口            ２８：出口
２９：垂直軸                    ３５：凸の領域
４２：ウェッジ型の凹部    ５２−５６：磁気起動手段
１００：水の重心
【図１】
0005850603.tif 000002
【図２】
0005850603.tif 000003
【図３】
0005850603.tif 000004
【図４】
0005850603.tif 000005
【図５】
0005850603.tif 000006
【図６】
0005850603.tif 000007
【図７】
0005850603.tif 000008
【図８】
0005850603.tif 000009
【図９】
0005850603.tif 000010
【図１０】
0005850603.tif 000011